(57)【特許請求の範囲】
【請求項１】
通信網が送信した呼出信号を検出する無線手段と、この無線手段が呼出信号を検出した結果に応じて着信動作を行う制御手段とを備えた無線通信端末を具備した無線通信システムにおいて、
前記通信網は、呼出信号をスーパーフレームのｎ（ｎは２以上の自然数）倍に相等するフレームを単位として送信すると共に同一の呼出信号をｍ（ｍは自然数）回再送し、
前記無線通信端末の制御手段は、前記無線手段をスーパーフレームのｎ倍に相等する時間にわたってスーパーフレームのタイミングに追従させて動作させ、前記無線手段をスーパーフレームの（ｎ×ｍ）倍に相等する時間にわたって動作停止させることを特徴とする無線通信システム。
【請求項２】
前記通信網は、呼出信号をスーパーフレームを単位として送信する送信パターンと、呼出信号をスーパーフレームのｎ倍に相等するフレームを単位として送信すると共に同一の呼出信号をｍ回再送する送信パターンとを切替可能であることを特徴とする請求項１記載の無線通信システム。
【請求項３】
前記無線通信端末の制御手段は、所定操作が行われたことに応じて、所定操作が行われたことを通知するメッセージを前記無線手段により通信網に送信させ、
前記通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えることを特徴とする請求項２記載の無線通信システム。
【請求項４】
前記無線通信端末の制御手段は、所定時刻・所定時間を計時したことに応じて、所定時刻・所定時間を計時したことを通知するメッセージを前記無線手段により通信網に送信させ、
前記通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えることを特徴とする請求項２記載の無線通信システム。
【請求項５】
前記無線通信端末の制御手段は、移動速度が所定速度であることに応じて、移動速度が所定速度であることを通知するメッセージを前記無線手段により通信網に送信させ、
前記通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えることを特徴とする請求項２記載の無線通信システム。
【発明の詳細な説明】
【０００１】
【発明の属する技術分野】
本発明は、通信網が送信した呼出信号を検出する無線手段と、この無線手段が呼出信号を検出した結果に応じて着信動作を行う制御手段とを備えた無線通信端末を具備した無線通信システムに関する。
【０００２】
【発明が解決しようとする課題】
近年、電気通信技術の進歩に伴って、携帯電話システムなどの無線通信システムが広く普及している。ところで、社団法人電波産業会が規格化しているパーソナルデジタルセルラー方式の携帯電話網においては、図６に示すように、呼出信号をスーパーフレーム（７２０ミリ秒）を単位として携帯電話端末に送信し、携帯電話端末は、無線回路を携帯電話網が呼出信号を送信するタイミングに追従させて動作させることにより、携帯電話網が送信した呼出信号を検出し、その検出した結果に応じて着信動作を行うようになっている。
【０００３】
しかしながら、このことは、換言すれば、携帯電話端末においては、呼出信号を検出するために、無線回路をスーパーフレームを単位として動作させなければならず、携帯電話端末にあって消費電力の低減化が要望されているという事情を鑑みると、その要望とは相反するものである。
【０００４】
本発明は、上記した事情に鑑みてなされたものであり、その目的は、無線通信端末において消費電力の低減化を図ることができる無線通信システムを提供することにある。
【００１０】
【課題を解決するための手段】
請求項１記載の無線通信システムによれば、通信網は、呼出信号をスーパーフレームのｎ（ｎは２以上の自然数）倍に相等するフレームを単位として送信すると共に同一の呼出信号をｍ（ｍは自然数）回再送し、無線通信端末において、制御手段は、無線手段をスーパーフレームのｎ倍に相等する時間にわたってスーパーフレームのタイミングに追従させて動作させ、無線手段をスーパーフレームの（ｎ×ｍ）倍に相等する時間にわたって動作停止させるように構成したので、無線手段をスーパーフレームの（ｎ×ｍ）倍に相等する時間にわたって動作停止させることから、無線手段をスーパーフレームを単位として動作させる従来のものと比較すると、無線手段の単位時間あたりの動作回数を減らすことができ、その分、消費電力の低減化を図ることができる。
【００１１】
請求項２記載の無線通信システムによれば、通信網は、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信するように構成したので、通信網が呼出信号を送信する送信パターンを切替えると、それに伴って、無線通信端末において、制御手段は、無線手段をスーパーフレームを単位として動作させる動作パターンと、無線手段をスーパーフレームのｎ倍に相等する時間にわたってスーパーフレームのタイミングに追従させて動作させる動作パターンとを切替えるようになり、状況に応じて、無線手段の単位時間あたりの動作回数を変化させることができ、その分、消費電力の低減化を図ることができる。
【００１２】
請求項３記載の無線通信システムによれば、無線通信端末において、制御手段は、所定操作が行われたことに応じて、所定操作が行われたことを通知するメッセージを無線手段により通信網に送信させ、通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信するように構成したので、所定操作を行うことにより、無線手段の単位時間あたりの動作回数を変化させることができ、その分、消費電力の低減化を図ることができる。
【００１３】
請求項４記載の無線通信システムによれば、無線通信端末において、制御手段は、所定時刻・所定時間を計時したことに応じて、所定時刻・所定時間を計時したことを通知するメッセージを無線手段により通信網に送信させ、通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信するように構成したので、所定時刻・所定時間を計時することにより、無線手段の単位時間あたりの動作回数を変化させることができ、その分、消費電力の低減化を図ることができる。
【００１４】
請求項５記載の無線通信システムによれば、無線通信端末において、制御手段は、移動速度が所定速度であることに応じて、移動速度が所定速度であることを通知するメッセージを無線手段により通信網に送信させ、通信網は、無線通信端末から前記メッセージを受信したことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信するように構成したので、移動速度が所定速度になることにより、無線手段の単位時間あたりの動作回数を変化させることができ、その分、消費電力の低減化を図ることができる。
【００１５】
【発明の実施の形態】
（第１の実施の形態）
以下、本発明を携帯電話システムに適用した第１実施例について、図１および図２を参照して説明する。
まず、図２は、携帯電話端末の電気的な機能ブロックおよびネットワークの構成を概略的に示している。携帯電話端末１（本発明でいう無線通信端末）において、ＣＰＵ２（本発明でいう制御手段）は、無線処理を行う無線回路３（本発明でいう無線手段）、マイクロホン４が入力する送話音声およびレシーバ５が出力する受話音声の音声処理を行う音声回路６、通話を開始するための「通話開始」キー、通話を終了するための「通話終了」キー、数字「０」〜「９」を入力するための「数字」キーなどの多数のキーを配設してなるキーパッド７、各種の表示情報を表示するディスプレイ８ならびに各種の記憶情報を記憶するメモリ９を接続している。
【００１６】
携帯電話網１０（本発明でいう通信網）において、基地局１１は、社団法人電波産業会が規格化している呼出信号を送信し、携帯電話端末１は、無線回路３を動作させることによって、基地局１１が送信した呼出信号を検出し、その検出した結果に応じて着信動作を行う。
【００１７】
この場合、基地局１１は、図１に示すように、呼出信号を複数（図１では「５」）のスーパーフレーム（７２０ミリ秒）から構成されるハイパーフレーム（図１では、７２０ミリ秒×５＝３６００ミリ秒）を単位として送信する。そして、これに伴って、携帯電話端末１において、ＣＰＵ２は、無線回路３を基地局１１が呼出信号を送信するタイミングに追従させて動作させ、つまり、無線回路３を呼出信号が格納されているスーパーフレームの開始に合わせて動作開始（オン）させ、呼出信号の終了に合わせて動作終了（オフ）させる。尚、ここで、ハイパーフレームを構成するスーパーフレームの数は、「５」に限らず、「５」以外の数であっても良いものである。
【００１８】
以上に説明したように第１実施例によれば、携帯電話網１０は、呼出信号を複数のスーパーフレームから構成されるハイパーフレームを単位として送信し、携帯電話端末１は、無線回路３を携帯電話網１０が呼出信号を送信するタイミングに追従させて動作させるように構成したので、無線回路３をハイパーフレームを単位として動作させることから、無線回路３をスーパーフレームを単位として動作させる従来のものと比較すると、無線回路３の単位時間あたりの動作回数を減らすことができ、その分、消費電力の低減化を図ることができる。
【００１９】
（第２の実施の形態）
次に、本発明の第２実施例について、図３を参照して説明する。尚、上記した第１実施例と同一部分については説明を省略し、以下、異なる部分について説明する。
この第２実施例は、携帯電話網１０が呼出信号をスーパーフレームを単位として送信する送信パターンと、呼出信号をハイパーフレームを単位として送信する送信パターンとを切替えて呼出信号を送信し、それに伴って、携帯電話端末１は、無線回路３を動作させる動作パターンを切替えるように構成したものである。この場合、携帯電話網１０が呼出信号を送信する送信パターンを切替えるトリガとしては、例えば携帯電話端末１において所定操作が行われたとき、携帯電話端末１において所定時刻・所定時間を計時したとき或いは携帯電話端末１において移動速度が所定速度になったときなどがある。
【００２０】
すなわち、携帯電話端末１において所定操作が行われたときをトリガとする場合であれば、ＣＰＵ２は、キーパッド７において所定操作が行われたことを検出すると、無線回路３を送信制御し、所定操作が行われたことを通知するメッセージを携帯電話網１０の基地局１１に送信し、基地局１１は、携帯電話端末１から当該メッセージを受信することにより、呼出信号を送信する送信パターンを切替える。
【００２１】
また、携帯電話端末１において所定時刻・所定時間を計時したときをトリガとする場合であれば、ＣＰＵ２は、所定時刻・所定時間を計時したことを検出すると、無線回路３を送信制御し、所定時刻・所定時間を計時したことを通知するメッセージを携帯電話網１０の基地局１１に送信し、基地局１１は、携帯電話端末１から当該メッセージを受信することにより、呼出信号を送信する送信パターンを切替える。
【００２２】
さらに、携帯電話端末１において移動速度が所定速度になったときをトリガとする場合であれば、ＣＰＵ２は、移動速度が所定速度であることを検出すると、無線回路３を送信制御し、移動速度が所定速度であることを通知するメッセージを携帯電話網１０の基地局１１に送信し、基地局１１は、携帯電話端末１から当該メッセージを受信することにより、呼出信号を送信する送信パターンを切替える。
【００２３】
尚、この場合は、携帯電話網１０は、呼出信号の送信パターンを切替えるに際しては、報知情報のメッセージに、ハイパーフレームを構成するスーパーフレームのフレーム数を示す情報、現在のスーパーフレームの順位を示す情報および呼出信号を格納するスーパーフレームの順位を示す情報を情報要素として格納し、それらの情報要素を格納した報知情報のメッセージを携帯電話端末１に送信することにより、上記したように呼出信号を送信する送信パターンを切替えることが可能となる。
【００２４】
以上に説明したように第２実施例によれば、携帯電話網１０は、例えば携帯電話端末１において所定操作が行われたこと、所定時刻・所定時間を計時したこと或いは移動速度が所定速度になったことに応じて、呼出信号をスーパーフレームを単位として送信する送信パターンと、呼出信号をハイパーフレームを単位として送信する送信パターンとを切替えて呼出信号を送信するように構成したので、携帯電話網１０が呼出信号を送信する送信パターンを切替えると、それに伴って、携帯電話端末１は、無線回路３をスーパーフレームを単位として動作させる動作パターンと、無線回路３をハイパーフレームを単位として動作させる動作パターンとを切替えるようになり、状況に応じて、無線回路３の単位時間あたりの動作回数を変化させることができ、その分、消費電力の低減化を図ることができる。
【００２５】
（第３の実施の形態）
次に、本発明の第３実施例について、図４を参照して説明する。尚、上記した第１実施例と同一部分については説明を省略し、以下、異なる部分について説明する。
この第３実施例は、携帯電話網１０が呼出信号をスーパーフレームのｎ（ｎは２以上の自然数）倍に相等するフレームを単位として送信すると共に同一の呼出信号をｍ（ｍは自然数）回再送し、携帯電話端末１は、無線回路３をスーパーフレームのｎ倍に相等する時間にわたってスーパーフレームのタイミングに追従させて動作させ、無線回路３をスーパーフレームの（ｎ×ｍ）倍に相等する時間にわたって動作停止させるように構成したものである。
【００２６】
すなわち、図４では、呼出信号の送信周期を示すｎの値を「５」、呼出信号の再送回数を示すｍの値を「２」とした場合を一例として示しており、つまり、携帯電話網１０は、呼出信号をスーパーフレームの５倍に相等するフレーム（図４では、７２０ミリ秒×５＝３６００ミリ秒）を単位として送信すると共に同一の呼出信号を２回再送し（図４中、「Ａ」，「Ｂ」は同一の呼出信号を示すものとする）、携帯電話端末１は、無線回路３をスーパーフレームの５倍に相等する時間にわたってスーパーフレームのタイミングに追従させて動作させ、無線回路３をスーパーフレームの１０（５×２）倍に相等する時間にわたって動作停止させる。尚、ここで、呼出信号の送信周期を示すｎの値は「５」に限らず、「５」以外の数であっても良く、また、呼出信号の再送回数を示すｍの値は「２」に限らず、「２」以外の数であっても良いものである。
【００２７】
以上に説明したように第３実施例によれば、携帯電話網１０は、呼出信号をスーパーフレームのｎ倍に相等するフレームを単位として送信すると共に同一の呼出信号をｍ回再送し、携帯電話端末１は、無線回路３をスーパーフレームのｎ倍に相等する時間にわたってスーパーフレームのタイミングに追従させて動作させ、無線回路３をスーパーフレームの（ｎ×ｍ）倍に相等する時間にわたって動作停止させるように構成したので、無線回路３をスーパーフレームの（ｎ×ｍ）倍に相等する時間にわたって動作停止させることから、上記した第１実施例に記載したものと同様にして、無線回路３をスーパーフレームを単位として動作させる従来のものと比較すると、無線回路３の単位時間あたりの動作回数を減らすことができ、その分、消費電力の低減化を図ることができる。
【００２８】
（第４の実施の形態）
次に、本発明の第４実施例について、図５を参照して説明する。尚、上記した第３実施例と同一部分については説明を省略し、以下、異なる部分について説明する。
この第４実施例は、携帯電話網１０が呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信し、それに伴って、携帯電話端末１は、無線回路３を動作させる動作パターンを切替えるように構成したものである。この場合も、携帯電話網１０が呼出信号を送信する送信パターンを切替えるトリガとしては、詳しくは説明しないが、上記した第２実施例と同様にして、例えば携帯電話端末１において所定操作が行われたとき、携帯電話端末１において所定時刻・所定時間を計時したとき或いは携帯電話端末１において移動速度が所定速度になったときなどがある。
【００２９】
尚、この場合は、携帯電話網１０は、呼出信号の送信パターンを切替えるに際しては、報知情報のメッセージに、呼出信号の送信周期を示す情報（「ｎ」の値）、呼出信号の再送回数を示す情報（ｍの値）を情報要素として格納し、それらの情報要素を格納した報知情報のメッセージを携帯電話端末１に送信することにより、上記したように呼出信号を送信する送信パターンを切替えることが可能となる。
【００３０】
以上に説明したように第４実施例によれば、携帯電話網１０は、例えば携帯電話端末１において所定操作が行われたこと、所定時刻・所定時間を計時したこと或いは移動速度が所定速度になったことに応じて、呼出信号をスーパーフレームを単位として送信する送信パターンと、呼出信号をスーパーフレームのｎ倍に相等するフレームを単位として送信すると共に同一の呼出信号をｍ回再送する送信パターンとを切替えて呼出信号を送信するように構成したので、携帯電話網１０が呼出信号を送信する送信パターンを切替えると、それに伴って、携帯電話端末１は、無線回路３をスーパーフレームを単位として動作させる動作パターンと、無線回路３をスーパーフレームのｎ倍に相等する時間にわたってスーパーフレームのタイミングに追従させて動作させる動作パターンとを切替えるようになり、上記した第２実施例に記載したもの同様にして、状況に応じて、無線回路３の単位時間あたりの動作回数を変化させることができ、その分、消費電力の低減化を図ることができる。
【００３１】
（その他の実施の形態）
本発明は、上記した実施例にのみ限定されるものでなく、次のように変形または拡張することができる。
無線通信システムとしては、携帯電話システムに限らず、通信網において社団法人電波産業会が規格化している呼出信号を送信するものであれば、他のものであっても良い。
【図面の簡単な説明】
【図１】本発明の第１実施例を示すタイムチャート
【図２】全体の構成を概略的に示す図
【図３】本発明の第２実施例を示すタイムチャート
【図４】本発明の第３実施例を示すタイムチャート
【図５】本発明の第４実施例を示すタイムチャート
【図６】従来例を示すタイムチャート
【符号の説明】
図面中、１は携帯電話端末（無線通信端末）、２はＣＰＵ（制御手段）、３は無線回路（無線手段）、１０は携帯電話網（通信網）である。
【図１】
0004211197.tif 000002
【図２】
0004211197.tif 000003
【図３】
0004211197.tif 000004
【図４】
0004211197.tif 000005
【図５】
0004211197.tif 000006
【図６】
0004211197.tif 000007